(57)【要約】    【課題】  ディジタル圧縮に依り、より多くの情報を小型化できかつ安全性を高める事が出来る。    【解決手段】  本発明では、磁気ディスク22ａ、22ｂと磁気テープ記憶装置17等の磁気のアナログ効果を利用して、ディジタル圧縮して、情報転送装置25等（例えば電話交換機）を用い年々増加する、より多く情報を一括管理し、更に年々巧妙な手口で不法侵入し、情報の読み出し即ち盗みや書込みのイタズラに対処する為の情報安全装置28を設け、情報の安全性を高めた。【選択図】図１
2006236545.tif 000002
【特許請求の範囲】
【請求項１】
音、画像、文字、数字等の情報をディジタル圧縮する為に符号化、ディジタル化して、そのディジタル量、パルスをアナログ要素を持った磁気テープ、磁気ディスク等に対して、ディジタル圧縮回路即ちディジタル量、ON、OFF信号をアナログ―ディジタル合成信号とし具体的にはビット毎のパルス電圧を変化させ、変則電圧を作り、アナログ要素を持った磁気テープ、磁気ディスクに記録させるのと磁気ヘッドに巻いたコイルに、９種の電圧パルスを印加出力させ、磁力を変化させコイルで０，１，２，３，４，５，６，７，８の符号を磁力表現させるのと磁気ヘッドの先端をナイフエッヂ状とする事により磁気テープ、磁気ディスクの磁場又は磁界を方形にさせる事により、磁場の検出を容易にする事を出来る事と、そして更に前記ディジタル圧縮する為にアナログ―ディジタル合成信号を作る為にディジタル符号量を一種のＤ／Ａコンバータにて変則電圧パルスを作り、そして磁力発生コイルに印加する、これは変則電圧パルス発生回路とし、磁気ヘッドに巻かれたコイルにて９種のディジタル符号０，１，２，３，４，５，６，７，８の磁場又は磁力にて磁性体に記録する、そして読出し検出は、前記ディジタル圧縮信号を磁気ヘッドコイルで磁力を検出しディジタル―アナログ合成信号を９種の電圧、又は磁力を検知し、電圧を前記ディジタル圧縮信号を増幅回路で増幅し計測スパンの拡大を行い、一種のＡ／Ｄコンバータにて、変則電圧パルスを通常のディジタル信号に戻し、再生する事に依り、各種情報などを記憶、再生する、又磁気ディスク記憶装置、磁気テープ記憶装置などは磁気ヘッドアーム又は磁気ヘッドの磁芯を複数本配置できる事で同時又は複数の書込、再生、消去が行える事を特徴とするディジタル圧縮記憶装置である。
【請求項２】
音、画像、文字、数字等の情報をディジタル圧縮する為に符号化、ディジタル化してそのディジタル量、パルスをアナログ要素の小さなものに対して０を一種のグランドとして、１，２，３，４の４種の符号を１ビットで表現し、更に５，６，７，８の４種の符号を１ビットで表現して２つの符号従って２ビットで表現する為に、前記と同様にアナログ−ディジタル合成信号として変則電圧にて０をグランドとし、１，２，３，４の４種を１つとし更に５，６，７，８の４種を１つとして、２つのビットで０，１，２，３，４，５，６，７，８の数を２つに分けて表わし、アナログ効果の小さい磁性体、若しくは通信にも利用できそして更に磁性体に記録されたアナログ−デジタル合成信号を増幅回路で増幅し計測スパンの拡大を行い、ここで０をグランドとして０，１，２，３，４と５，６，７，８，の信号を分離しやすくする事と磁気ヘッドをナイフエッヂ状にして磁性体記録部の磁場又は磁力を方形にできる事により磁気ヘッドのトレースを容易に出来る事と磁気ディスクなどの磁気ヘッドアーム又は磁気テープなどの磁気ヘッド内磁芯を複数又は磁気ヘッドアームを複数本配置できる事で複数チャンネルの読出し、書込みが同時に出来る事を特徴とするもので構成している。
【請求項３】
各種情報の処理を行う少なくとも１個の各種情報処理装置例えばパソコンと、前記各種情報の読出し、書込みが可能な複数の独立したディジタル圧縮記憶装置と、各種情報の情報転送装置、そして題名登録記憶装置で構成し、各種情報の読出しに用いる題名を書込みに際して登録する題名登録記憶装置例えばパソコンと、前記複数の独立するディジタル圧縮記憶装置に対して同時又は順序よく前記複数の独立したディジタル圧縮記憶装置に対して同時または順序よく情報を入出力できるようにする情報転送装置例えば電話交換機と電線で接続し、前記ディジタル圧縮記憶装置と前記題名登録記憶装置及び前記ディジタル圧縮記憶装置とをそれぞれ電線で接続し、前記ディジタル圧縮記憶装置は接続を任意に増減することが可能に構成され、各種情報の書込み、消去は各種情報処理装置から書込み、消去指令により情報転送装置を例えば電話交換機を介して前記ディジタル圧縮記憶装置を選択接続して書込み、消去し、各種情報の読出しは、前記各種情報処理装置からの読出し指令により情報転送装置例えば電話交換機を介して題名登録記憶装置例えばパソコンに記憶した題名アドレスから、情報転送装置を介してディジタル圧縮記憶装置を選択して情報を読出し、そして消去に際しても題名登録記憶装置に接続して、登録記憶した題名、アドレス等を消去する。ここで予め題名アドレスが明らかなものは各種情報処理装置から直接題名登録記憶装置を通さず情報転送装置からディジタル圧縮記憶装置を選択して読出しを行え、各種情報を一括管理可能であることを特徴とするディジタル圧縮情報記憶制御装置であるそして情報転送装置、題名登録記憶装置も任意に増減でき、更に独立したディジタル圧縮記憶装置も任意に増減できる、そして、社会科学、理化学分や、個人のデータベース等の分野分類を、年次別、Ａ，Ｂ，Ｃ，又はアイウエオ順毎に、又はそれぞれの利用分野毎に検索できる様、題名登録記憶装置のプログラムを作り、利用でき、情報検索に際して謂ゆるマトリックス状に網羅でき更に磁気ヘッドアーム又は磁気ヘッド磁芯を複数にもできる事から、同時の読出し、書込み、消去もできる。
【請求項４】
前記ディジタル圧縮情報制御装置と、各種情報処理装置からの読出し、書込みに際し各種暗証を認識、識別し暗証の異なるものに対してディジタル圧縮情報制御装置に接続、読出し、書込みを拒否し、暗証に該当するものに対して各種情報処理装置からのみディジタル圧縮情報制御装置に接続、読出し、書込みを可能にするディジタル圧縮情報安全制御装置である多チャンネルのスイッチング素子を用いて次々と暗証確認の終了したものから次々と情報転送装置に接続を変え素早く作業を終了する事で数多くの人々の利用を可能にする事を特徴とする。
【発明の詳細な説明】
【技術分野】
【０００１】
本発明は従来のディジタルをアナログ―ディジタル合成信号にする事により変則電圧パルスの電圧の差異にて０，１，２，３，４，５，６，７，８迄の数字を表現し、１つのパルスで１から８迄を表現する事と、これを用いて多岐にわたる各種情報を一括管理するディジタル圧縮情報制御装置に関するものと情報安全ディジタル圧縮情報制御装置に関するものである。
【０００２】
前記のディジタル圧縮の為のアナログ要素の小さいものに対して、０をグランドし１，２，３，４迄を１ビットとして表現し、更に２ビット目で５，６，７，８迄の４種づつのアナログ−ディジタル合成信号にする事に依りアナログ効果の小さいものに対して有効に記憶又は通信に利用できるものに関する。
【背景技術】
【０００３】
従来の磁気ディスク、磁気テープ記憶装置はディジタル圧縮の方式が異なっていた、又複数の磁気ヘッドを備えていなかった、そして磁気ヘッド先端を丸く尖らせた為、磁気ディスク、磁気テープの磁場が丸く円の中心と周辺では磁場の磁力が変化していた為、磁気ヘッドのトレースが容易でなかった。
【０００４】
従来の情報の入出力は、例えば１台として構成される電子計算機にて周辺外部などの記憶装置より、電子計算機の内部記憶部に一度転送し、情報を整理などの処理、又は演算し、単に外部の情報処理装置、即ちパソコン等の他ディスプレイ装置等の各種端末機器装置に記録などの情報を転送していた、そして従来の情報制御装置等ではディジタル圧縮を行っていなかった。
【０００５】
従来の各種の情報処理装置、例えばパソコンなどで情報の読出し、書込みに際して従来の情報安全制御装置では、ディジタル圧縮を行っていなかった。
【特許文献１】特願２００２−１７９８１４
【特許文献２】特願平８−２２３２７５
【発明の開示】
【発明が解決しようとする課題】
【０００６】
本発明は以上のような従来の欠点に鑑み情報記憶装置では磁気ディスク記憶装置１台又は複数台にして記憶容量を増やす為、磁気ディスク記憶装置では、ディスク直径を大きくしたり磁気ヘッドの先端を鋭くしたりして、記憶容量を大きくする工夫をしていた、又磁気テープ記憶装置などはテープを長くしたりした、そして磁気ヘッド磁芯の先端を鋭くしたりしていた、そして磁力を小さくして、磁性体、磁気面の磁場の面積を小さくしていた、その為２次元的要素でデジタル圧縮して記憶容量の増大を計ったものを提供する事を目的とする。
【０００７】
従来の情報管理などでは、磁気ディスク１台又は複数台で記憶転送装置１台又は複数台、題名登録記憶装置１台又は複数台などで構成し、情報の読出し、書込みを行い、情報の一括管理を行っていた、しかしながらデジタル圧縮の記憶容量の増大と磁気アーム等の複数化を計り、複数の同時の読出し、書込みが行えるものを提供する事を目的とする。
【０００８】
また、年々増大する各種情報、音、画像、文字など即ちデータ等多岐にわたる情報、データ容量を大きくするため、磁気テープを長くしたり、磁気ディスクの直径を大きくしたり、磁気ヘッドの先端を鋭く尖がらせ、磁気テープの磁場の面積を小さくしたりしていた、２次元的要素でデジタル圧縮を行うことで情報記憶容量の増大したものを提供する事を目的とする。
【０００９】
これ迄の情報制御装置ではディジタル圧縮を持ってなかった。
【００１０】
又年々増加する情報、データ等の入出力に際して、各種情報端末、ディスプレイ装置、パソコン等からの読出し、書込みに対して、個人情報、データの安全性の向上の為個人暗証も複雑に成り、情報安全装置、コンピュータの記憶装置部のデータ容量を大きくする必要が有った、しかしながらデジタル圧縮を行う事でデータ容量の増大したものを提供する事を目的とする。
【課題を解決するための手段】
【００１１】
上記問題を達成するために（請求項１、請求項２のデジタル圧縮と請求項３の情報制御装置と請求項４の情報安全制御装置）とでデジタル圧縮情報制御安全装置とで構成されている。
【００１２】
請求項１に記載の発明は、音、画像、文字、数字等の情報をディジタル圧縮する為に符号化、ディジタル化して、そのディジタル量、パルスをアナログ要素を持った磁気テープ、磁気ディスク等に対して、ディジタル圧縮回路即ちディジタル量、ON、OFF信号をアナログ―ディジタル合成信号とし具体的にはビット毎のパルス電圧を変化させ、変則電圧を作り、アナログ要素を持った磁気テープ、磁気ディスクに記録させるのと磁気ヘッドに巻いたコイルに、９種の電圧パルスを印加出力させ、磁力を変化させコイルで０，１，２，３，４，５，６，７，８の符号を磁力表現させるのと磁気ヘッドの先端をナイフエッヂ状とする事により磁気テープ、磁気ディスクの磁場又は磁界を方形にさせる事により、磁場の検出を容易にする事を出来る事と、そして更に前記ディジタル圧縮する為にアナログ―ディジタル合成信号を作る為にディジタル符号量を一種のＤ／Ａコンバータにて変則電圧パルスを作り、そして磁力発生コイルに印加する、これは変則電圧パルス発生回路とし、磁気ヘッドに巻かれたコイルにて９種のディジタル符号０，１，２，３，４，５，６，７，８の磁場又は磁力にて磁性体に記録する、そして読出し検出は、前記ディジタル圧縮信号を磁気ヘッドコイルで磁力を検出しディジタル―アナログ合成信号を９種の電圧、又は磁力を検知し、電圧を前記ディジタル圧縮信号を増幅回路で増幅し計測スパンの拡大を行い、一種のＡ／Ｄコンバータにて、変則電圧パルスを通常のディジタル信号に戻し、再生する事に依り、各種情報などを記憶、再生する、又磁気ディスク記憶装置、磁気テープ記憶装置などは磁気ヘッドアーム又は磁気ヘッドの磁芯を複数本配置できる事で同時又は複数の書込、再生、消去が行える事を特徴とするディジタル圧縮記憶装置である。
【００１３】
この請求項１に記載の発明によれば、変則電圧パルス発生回路、例えていうなら一種のディジタル／変則ディジタルコンバーターを使用し書込み、そして読出しには一種Ａ／Ｄコンバータを使用し、変則電圧パルスを通常のＴＴＬレベルのディジタル符号信号に戻し再生させ従来のディジタル符号とし、更に磁気ヘッド、磁芯先端部ナイフエッヂ状にし磁場又は磁界を方形にさせ検知、又はトレースを容易にさせるのと、磁気ディスク等には複数本の磁気ヘッドアームを配置させ同時に又は別々に読出しや書込、消去が可能で磁気テープ記憶装置などには磁気ヘッド内に磁芯を複数本配置できることが可能であり、これにより複数チャンネルの書込、消去が可能である。
【００１４】
請求項１のディジタル圧縮を行う事で磁気テープ、磁気ディスク等に今迄以上に記憶容量を増やせ、磁気ディスク等には複数本の磁気ヘッドアームを配置し、複数の情報処理装置等の端末機器から書込み、読出しに対して同時に行えるのと、磁気ヘッドをナイフエッヂ状にし磁場又は磁界を方形にし検知が容易にトレースできる、そして磁気テープ等には磁芯を１又は複数配置して複数チャンネルとする事ができる。
【００１５】
請求項２に記載の発明によればアナログ効果の小さいものに対して有効で音、画像、文字、数字等の情報をディジタル圧縮する為に符号化、ディジタル化してそのディジタル量、パルスをアナログ要素の小さなものに対して０を一種のグランドとして、１，２，３，４の４種の符号を従来の１ビットで表現し、更に５，６，７，８の４種の符号を１ビットで表現して２つの符号従って２ビットで表現する為に、前記と同様にアナログ−ディジタル合成信号として変則電圧にて０をグランドとし、１，２，３，４の４種を１つとし更に５，６，７，８の４種を１つとして、２つのビットで０，１，２，３，４，５，６，７，８の数を２つに分けて表わし、アナログ効果の小さい磁性体などに対して若しくは通信にも利用でき、変則電圧パルス発生回路、例えていうなら一種のディジタル／変則ディジタルコンバーター論理演算回路で２つのビットでアナログ−ディジタル合成信号パルス／変則電圧パルスを作り、磁性体に記録させる為に磁気ヘッドに巻かれたコイルに４種の電圧パルスを印加出力して、磁性体に記録する、又アナログ要素を持った通信にも利用できる、更に従来のディジタル符号に戻す為に一種のアナログ−ディジタル合成信号、変則電圧パルスを一種のＡ／ＤＣと論理演算回路で２種又は２つの変則電圧パルスを演算して従来のディジタル符号として利用できる、更に前記請求項１と同様に磁性体に記録する為に磁芯先端部ナイフエッヂ状にして、磁場を方形にさせ磁気ヘッドのトレースを容易に検知でき、かつ磁気ヘッド若しくは磁気ヘッドアームを複数本にし同時又は違うものに対して複数のそれぞれ別個の読出しや書込、消去が出来、磁気テープ等に対しては複数チャンネルの記録、再生が出来る。
【００１６】
請求項２のディジタル圧縮はアナログ効果の小さいものに対して有効であり、またディジタル圧縮を行う事で磁気テープ、磁気ディスク等に今迄以上に記憶容量を増やせ、磁気ディスク等には複数本の磁気ヘッドアームを配置し、複数の情報処理装置等の端末機器から書込み、読出しに対して同時に行えるのと、磁気ヘッドをナイフエッヂ状にし磁場又は磁界を方形にし検知が容易にトレースできるそして磁気テープ等には磁芯を１又は複数配置して複数チャンネルとする事が出来る。
【００１７】
請求項３の記載の発明は各種情報の処理を行う少なくとも１個の各種情報処理装置例えばパソコンと、前記各種情報の読出し、書込みが可能な複数の独立したディジタル圧縮記憶装置と、各種情報の情報転送装置、そして題名登録記憶装置で構成し、各種情報の読出しに用いる題名を書込みに際して登録する題名登録記憶装置例えばパソコンと、前記複数の独立するディジタル圧縮記憶装置に対して同時又は順序よく前記複数の独立したディジタル圧縮記憶装置に対して同時または順序よく情報を入出力できるようにする情報転送装置例えば電話交換機と電線で接続し、前記ディジタル圧縮記憶装置と前記題名登録記憶装置及び前記ディジタル圧縮記憶装置とをそれぞれ電線で接続し、前記ディジタル圧縮記憶装置は接続を任意に増減することが可能に構成され、各種情報の書込み、消去は各種情報処理装置から書込み、消去指令により情報転送装置を例えば電話交換機を介して前記ディジタル圧縮記憶装置を選択接続して書込み、消去し、各種情報の読出しは、前記各種情報処理装置からの読出し指令により情報転送装置例えば電話交換機を介して題名登録記憶装置例えばパソコンに記憶した題名アドレスから、情報転送装置を介してディジタル圧縮記憶装置を選択して読出しそして消去に際しても題名登録記憶装置に接続して、登録記憶したものを消去する、ここで予め題名アドレスが明らかなものは各種情報処理装置から直接題名登録記憶装置を通さず情報転送装置からディジタル圧縮記憶装置を選択して読出しを行え、各種情報を一括管理可能であることを特徴とするディジタル圧縮情報記憶制御装置であるそして情報転送装置、題名登録記憶装置も任意に増減でき、そして、社会科学、理化学分野、個人のデータベース等の分野分類を、年次別、Ａ，Ｂ，Ｃ，又はアイウエオ順毎に、又はそれぞれの利用分野毎に検索できる様題名登録記憶装置のプログラミングを作り、利用でき、謂ゆるマトリックス状に網羅でき、更に磁気ヘッドアーム又は磁気ヘッド磁芯を複数にもできる事から同時の読出し、書込み、消去も出来る。
【００１８】
この請求項３に記載の発明によれば、情報転送装置を用いることで、簡単な構成でディジタル圧縮記憶装置を容易に増減することが可能である、ここで情報転送装置は例えば電話交換機のような役割を果す。
【００１９】
また、情報転送装置例えば電話交換機を用いる簡易な構成で各種情報処理装置からの指令により、多岐にわたる各種情報を同時またはそれぞれ別々に独立した１又は複数の磁気ヘッドアームまたは複数のディジタル圧縮記憶装置の読出しに際して予め題名の分るものは直接ディジタル圧縮記憶装置から読出し、題名アドレスの不明のものは題名登録記憶装置から検索して、読出す、そして書込みに際しては、題名登録記憶装置に登録記憶させ書込させることにより各種情報管理の混乱を防ぎ、更に情報検索を簡易にでき、これより多岐にわたる多くの各種情報を一括管理できるものを提供できる。
【００２０】
請求項４の発明によれば、前記ディジタル圧縮情報制御装置と、各種情報処理装置からの読出し、書込みに際し各種暗証を認識、識別し暗証の異なるものに対してディジタル圧縮情報制御装置に接続、読出し、書込みを拒否し、暗証に該当するものに対して各種情報処理装置からのみディジタル圧縮情報制御装置に接続、読出し、書込みを可能にするディジタル圧縮情報安全制御装置で多チャンネルのスイッチング素子を用いて、次々と暗証確認の終了したものを、情報転送装置に接続を変えこれにより多くの人々の利用が可能に成るディジタル圧縮情報安全制御装置が出来る。
【００２１】
この請求項４に記載の発明によればディジタル圧縮情報制御安全装置を用いることで、各種情報の安全策を計り、外部からの無断侵入の無断読出し、無断書込みを防ぎ、情報の障害を楳ること等を防ぐことが出来る。
【００２２】
また１台又は複数のディジタル圧縮記憶装置と１台又は複数の情報転送装置、１台又は複数の題名登録記憶装置と１台又は複数のディジタル圧縮情報制御安全装置とで簡易に構成して、多岐にわたる各種情報等、１台又は複数の情報処理装置からの書込み、読出しの安全性を高めることができる。
【発明の効果】
【００２３】
以上の説明から明らかなように、本発明にあっては次に列挙する効果が得られる。
（１）請求項１の発明のディジタル圧縮記憶装置は従来のディジタル信号、若しくはディジタル圧縮に比較して、大幅に圧縮して一つのパルスで情報量が大幅に増せ、一つのパルスに従来に比べて数倍の情報を記憶させる事が出来る、更にこのアナログ―ディジタル合成信号は、アナログ要素の有る通信にも使用出来る。
【００２４】
（２）請求項２の発明のディジタル圧縮記憶装置はアナログ要素の小さいものに対して、効果的にディジタル圧縮を行える様に、請求項１の１／２の圧縮度にして１つのビットの２次元的要素を、２つのビットで２次元的要素で実現したもので、０を一種のグランドとして１，２，３，４の４段階と、５，６，７，８の４段階で２つのビットでアナログ要素の小さいものに対して効果的にディジタル圧縮したものである。又、従来の奇偶数の考え方でもディジタル圧縮を使用できる。
【００２５】
（３）請求項３の発明に依るディジタル圧縮情報制御装置はディジタル圧縮と複数本の磁気ヘッドを使用できる為と情報転送装置、題名登録記憶装置、ディジタル圧縮記憶装置を任意に増減できる為、多くの人々の同時の利用、又近年、ますます増大する情報に対して、任意にシステムを増減できる事に依り、情報管理を一括管理できる物を提供できる。
【００２６】
（４）請求項４のディジタル圧縮情報制御安全装置は例えば１台又は複数台として成る安全装置例えばパソコンと多チャンネルのスイッチング素子の組合せ、暗証や本人認識の為の顔の骨格や、指紋、眼紋等を記憶させ、照合させる事が出来る事により一層複雑な識別が早く成り、これも又情報転送装置例えば電話交換機を使う為簡易な構成に成り、ディジタル圧縮記憶装置と題名登録記憶装置など全体の構成を容易に増減できる。
【発明を実施するための最良の形態】
【００２７】
以下、この発明のディジタル圧縮と情報制御装置の実施の形態を図面に基づいて説明する。
【００２８】
請求項１の図１はディジタル圧縮の実施の形態を示す変則電圧パルスを示した。
図１の１ａで０を表し、１ｂで１を表し、それぞれ変則電圧パルスで１ａ〜１ｉ迄で０，１から８迄の数を示し、例えば１ａで０、１ｅで４、１ｉで８を表現し、変則電圧パルス１つで、０，１，２，３，４，５，６，７，８迄の数を表現する、又入出力電圧はコイルのインピーダンスと磁芯と磁気面の磁性体の効率によって変わってくるが、例えば０，１〜８迄を例えば３０ｍＶ〜１１０ｍＶで示した、又書込みに対しても同様にコイルのインピーダンスや効率、磁性体の効率に依って電圧又は電力が変わる。
【００２９】
請求項２の、図２はディジタル圧縮のアナログ効果の小さいものに対しての形態を示す変則電圧パルスを示した、図２の３１ａで１、３１ｂで２、３１ｃで３、３１ｄで４の数を示し、例えば時間を遅くし、変則電圧パルスの送出を１ｓｅｃ１ビットとし、２つのビットで１ビットで３１ａから３１ｄで１から４の数を示し、変則電圧パルス、２ｓｅｃ後に２ビット目として３１ｅで５、３１ｆで６、３１ｇで７、３１ｈで８等の数を１ビット毎のそれぞれ４段階の変則電圧パルスで表現した、そして変則電圧パルスを磁性体等のアナログ効果の有るものに対して記憶させる事が出来る、具体的には、今迄の１つのビットに変則電圧パルスで例えば３０mVから６０mVで１つのビットで４段階で、最初のビット３１ａ，３１ｂ，３１ｃ，３１ｄで１，２，３から４の数、２つ目のビットで４段階で５，６，７から８迄の数を表現できそして０は２０mVをゼログランドとした、これは２次元的な表現法である、そして１つのビットの速度又は時間を１秒としたのは、単に説明上のものであり実際は更に高速の時間としたものを使用利用できる。
【００３０】
図２の実施例として図６のＡ／ＤＣ又はディジタル回路１３で入力し、変則電圧パルス発生回路１２で４段階の変則電圧パルスを作り、それぞれの回路を電線３０で接続して、磁気ヘッドの磁芯１０で磁性体に記憶させる、そして再生するときは、磁芯１０で磁性体に記憶させた、アナログ要素の４段階の磁力又は磁場を磁芯１０で磁力を読み出し、変則電圧パルスを図２の４段階の１ビット目の３１ａから３１ｄ迄で１，２，３，４とし、更に２ビット目の２秒後の３１ｅから３１ｈで５，６，７，８迄を例えば２０mVからそれぞれ１０ｍＶ毎の６０ｍＶで表現し、増幅回路１４で計測スパンを拡大して、変則電圧パルスＡ／ＤＣ又は変則電圧パルスＤ／ＤＣで３１ａから３１ｄで１，２，３，４とし、最初の１ビット目の１ビットの３１ａの１から３１ｄの４迄のディジタル符号と、２秒後の２ビット目の３１ｅの５から３１ｈの８迄の数を認識して演算処理して従来のディジタル符号に戻し出力する、そして更にゼロ表現は、例えば２０ｍＶを基準として０として表す事が出来る。
【００３１】
請求項２の図３ではパリティビットの考え方でも変則電圧パルスで４段階で、１ビット当りの送出を例えば遅くし、１ｓｅｃ目で、４段階、３２ａで２、３２ｂで４、３２ｃで６、３２ｄで８を示し、更に２ｓｅｃ後に３２ｅで１、３２ｆで３、３２ｇで５，３２ｈで７を示したパリティビットは、奇偶数を、１ビット目を奇数としても、２ビット目を偶数として同様に出来るこれは２次元的手法に違いは無い。
【００３２】
図３では請求項２のアナログ−ディジタル合成信号、変則電圧パルスを４段階とし、従来のパリティビットの奇偶数の考え方も出来る事を示した最初の１秒目で１ビット目で、３２ａは２、３２ｂは４、３２ｄは６、３２ｅは８を示し、２つ目は２秒目で３１ｆは３、３２ｇは５、３２ｈは７を表現した、ここでビットの速度を１秒毎としたのは説明を解り易くしたものであり実際には更に速いものを使用できる。図１０でアナログ−ディジタル合成信号、即ち変則電圧パルスの、最初の１ビット目の増幅回路１４出力により変則電圧パルスを検出して同期回路３３で変則電圧パルスＡ／ＤＣ１５又は１種の変則電圧パルスＤ／ＤＣ１５での遅延の時間又は１ビットの１秒と２ビット目の２秒後を同期回路３３で遅延時間なども含めてタイミングパルスを出力して演算回路３４にて認識計算して、従来のディジタル符号として出力する。
【００３３】
図１０でアナログ信号又はディジタル符号をＡ／ＤＣ又はディジタル回路１３で入力し、従来のディジタル符号を変則電圧パルス発生回路１２でアナログ−ディジタル合成信号を４段階の例えば２０ｍＶから６０ｍＶの１０ｍＶ毎の変則電圧パルスを磁芯１０で磁性体に記憶させ、読み出しは磁芯１０で磁性体に記憶させた４段階の磁力を読み出し、例えば２０ｍＶから６０ｍＶの１０ｍＶ毎の変則電圧パルスを増幅回路１４で２０ｍＶから６０ｍＶの１０ｍＶ毎の変則電圧パルスを例えば数１０倍から数１００倍に増幅拡大して計測スパンを拡大して分解能を増やし更に電線３０で同期回路３３で同期信号を検出して、変則電圧パルスＡ／ＤＣ又は変則電圧パルスＤ／ＤＣで、従来のディジタル符号に変換する為演算回路で演算するが、変則電圧パルスＡ／ＤＣ又はＤ／ＤＣで遅延した時間を同期信号回路３３からタイミングパルスを演算回路３４に出力して１ビット目のディジタル符号と２秒目の２ビット目奇偶数即ちパリティビットの考え方のディジタル符号を認識して演算処理して、従来のディジタル符号として出力させる事が出来る、そして更に２０ｍＶをゼロのグランドとして０の数を表す事が出来る。
【００３４】
この実施の図４の磁気テープ３と磁気ヘッド２を示しテープガイドローラ４を示した、更に図５（ａ）横断面図で磁気ヘッドの内部を示し、書込用磁芯６、書込用コイル８と消去用磁芯７と消去コイル９を示し更に図５（ｂ）では複数チャンネルの実施を示す書込用磁芯６ａと６ｂを示し、そして書込コイル８ａと８ｂで示し、磁気ヘッドカバー５を示した、これにより複数チャンネルの書込みと消去が可能に成る。
【００３５】
図６では磁気ディスク等の実施の形態を示すブロック図であり磁芯１０とコイル２９とで書込みと消去を行う、まず書込みはアナログかディジタルいずれかの入力をＡ／Ｄコンバーター又は、ディジタル回路１３に入力し、変則電圧パルス発生回路１２で図１の１ａから１ｉ迄の数字の０，１，２，３，４，５，６，７，８迄の数を表す変則電圧パルスにし、書込用コイル２９にて磁芯１０から磁気ディスク等に磁力の変化を磁性体に書込む、消去は消去回路１６で消去信号を発生させ電線３０を通じて磁芯１０に巻れたコイル２９で磁力を発生させ磁気ディスクに書込れた信号即ち変則磁力を消去する、更に読出しに関しては磁芯１０に巻かれたコイル２９にて変則磁力を感知して、増幅回路にて増幅する事に依り、例えば数１０ｍＶの電圧を例えば数１０倍から数１００倍位にすると変則電圧の計測スパンの拡大又は分解能力が大きくなる、そしてアナログ―ディジタル合成信号又は変則電圧パルスを一種の変則電圧パルス（アナログ―ディジタル合成信号）を例えば一種のＡ／ＤＣ１５にて通常のＴＴＬレベルのディジタル信号に戻す。
【００３６】
図７は磁芯１０のナイフエッヂ状の形態を示し（ａ）で横断面であり、図７（ｂ）は正面図であり先端部付近で角１１を作り、磁界は角から強く出る性質があり角１１から磁力が出て先端部３１からの磁界と干渉させ打消し合せ、より先端部を鋭く尖らせる事により、強く先端部３１から磁力を発生させ、書込み磁場面積を小さくでき、又読出しには、磁気面を方形にする事により磁場の磁力を感知し易くし更に磁場面積を小さく出来、又磁場を方形に成る事に依り磁気面のトレースを簡易に出来る。
【００３７】
磁気テープ等の発明の実施の形態を示す図８では磁気テープ記憶装置１７と磁気テープ取り出しと挿入の為の入口１８を示し、又各種の制御スイッチ１９とリモコンスイッチ２１を示した。
【００３８】
図９で磁気ディスク装置２２と磁気ディスク面２３と複数本の磁気ヘッドアーム２４ａ、２４ｂと磁気ヘッド磁芯１０ａ、磁芯１０ｂを示し、同時又は複数の読出し、書込みなどが行える事を示し、更に磁気ヘッド１０ａ、１０ｂで消去信号等で消去も行える事を示した。
【００３９】
図１１では請求項３の各種情報処理装置２７から同時の読出し、書込み、消去などの実施の為のブロック図１１を示した、図面に基づいて説明すると、各種情報処理装置２７等の端末機からの例えば読出しに関して、情報転送装置２５ａに接続し、予め題名、アドレスが解っているものは磁気ディスク２２ａ又は２２ｂのいずれかの装置に接続をし情報転送装置２５ａを通じて各種情報処理装置２７からの指令により、指定し、読出しが出来る、更に書込みと消去に関しては、各種情報処理装置２７から、書込み又は消去指令の場合情報管理の混乱を防ぐ為、各種情報処理装置２７から指令し、一度情報転送装置２５ａ例えば電話交換機に接続し更に題名登録記憶装置２６例えばパソコンにて、書込みに際しては題名、アドレスを登録記憶してから、書込み、消去に際しては各種情報処理装置２７等の端末機器からの題名登録記憶装置２６例えばパソコンに、題名、アドレスを指定して、確認記憶してから、各種情報処理装置２７からの指令により、情報転送装置２５ａより、ディジタル圧縮磁気ディスク装置２２ａ、２２ｂ等の中から選択して、指定の題名、アドレスにより消去する、そして使用頻度の多く、アクセスの多いものは、使用頻度プログラムにより、複数本の磁気ヘッドアーム２４ａ、２４ｂ磁気ヘッド１０又はディジタル圧縮磁気ディスク記憶装置２２ａから２２ｂにも記憶を転移してよいし、又は情報転送装置２５ａより他の情報転送装置２５ｂに連結してディジタル圧縮磁気ディスク記憶装置に記憶させてもよいこれにより、多くの人々とより多くの情報を容易に一括管理でき、更に情報量に応じて簡易に記憶容量を増減できる物を提供できる。
【００４０】
図１２では請求項４のディジタル圧縮情報制御装置に、不法な侵入者による情報の守秘と安全を計る為、各種情報処理装置２７と情報転送装置２５ａの間に暗証認識装置、情報安全装置２８複数の情報処理装置からの暗証認識後、パソコンと多チャネルの複数のスイッチング素子を切換え指示し構成し年々複雑化する暗証と年々進化する侵入者対策の為、１台又は複数台の情報安全装置２８例えばパソコンと多チャンネルのスイッチング素子で構成し組合せたものを設置し、次々と切換える事に依り、多くの情報と安全対策を果たし多くの人々の読出しや書込み消去に対して安全を高めたものが出来る。
【産業上の利用可能性】
【００４１】
本発明はディジタル圧縮に依る情報制御装置を製造する産業で利用できる、又ディジタルテープレコーダーなどに製造する産業で利用できる。
【図面の簡単な説明】
【００４２】
【図１】本発明を実施するための最良の第１の請求項１のディジタル圧縮の変則電圧パルスとそれにともなう数を示した。
【図２】本発明を実施するための最良の第２の請求項２のディジタル圧縮の変則電圧パルスとそれにともなう数を示した。
【図３】本発明を実施するための最良の第２の請求項２のディジタル圧縮の変則電圧パルスの奇遇数の考え方を示した。
【図４】本発明を実施するための最良の第１の請求項１のディジタル圧縮の磁気テープ記録装置の図である。
【図５】本発明を実施するための最良の第１の請求項１の磁気テープ記録装置磁ヘッドの図である。
【図６】本発明を実施するための最良の第１の請求項１の磁気ディスクと電子回路、ブロック図である。
【図７】本発明を実施するための最良の第１又は第２の請求項１又は請求項２の磁気磁芯の側面図（ａ）と正面図（ｂ）である。
【図８】本発明を実施するための最良の第１の請求項１のディジタル圧縮の磁気テープ記録装置外観図である。
【図９】本発明を実施するための最良の第１又は第２のディジタル圧縮による磁気ディスクの正面図である。
【図１０】本発明を実施するための最良の第２の請求項２のディジタル圧縮の磁性体記憶装置の電子回路、ブロック図である。
【図１１】本発明を実施するための最良の第３の請求項３のディジタル圧縮と情報制御装置のブロック図である。
【図１２】本発明を実施するための最良の第４の請求項４のディジタル圧縮の情報安全制御装置のブロック図である。
【符号の説明】
【００４３】
１ａは０を表す
１ｂは１を表す
１ｃは２を表す
１ｄは３を表す
１ｅは４を表す
１ｆは５を表す
１ｇは６を表す
１ｈは７を表す
１ｇは８を表す
２  磁気ヘッド
３  磁気テープ
４  磁気テープガイドローラー
５  磁気ヘッドカバー
６  書込用磁芯
７  消去用磁芯
８  書込用コイル
８a  書込用コイル
８b  書込用コイル
９  消去用コイル
10  磁気ディスク用磁芯
10a  磁気ヘッド磁芯
10b  磁気ヘッド磁芯
11  磁気ヘッド先端部附近角を示す
12  変則電圧パルス発生回路
13  Ａ／ＤＣ又はディジタル入力部を示す
14  増幅回路
15  変則電圧を従来のディジタル符号に戻す回路
16  消去信号回路
17  磁気テープ記憶装置
18  磁気テープ取り出し、挿入口
19  磁気テープ記憶装置制御ボタン
20  リモコン用受光素子
21  リモコン
22  磁気ディスク
23  磁気ディスク、磁気面
24  磁気ヘッドアーム
24a  磁気ヘッドアーム
24b  磁気ヘッドアーム
25a  情報転送装置
25b  情報転送装置
26  題名登録記憶装置
27  各種情報処理装置
28  情報安全装置
29  磁気ディスク、書込み、消去用コイル
30  電線
31aは１を表す
31bは２を表す
31cは３を表す
31dは４を表す
31eは５を表す
31fは６を表す
31gは７を表す
31hは８を表す
32aは２を表す
32bは４を表す
32cは６を表す
32dは８を表す
32eは１を表す
32fは３を表す
32gは５を表す
32hは７を表す
33  同期回路
34  演算回路
【図１】
2006236545.tif 000003
【図２】
2006236545.tif 000004
【図３】
2006236545.tif 000005
【図４】
2006236545.tif 000006
【図５】
2006236545.tif 000007
【図６】
2006236545.tif 000008
【図７】
2006236545.tif 000009
【図８】
2006236545.tif 000010
【図９】
2006236545.tif 000011
【図１０】
2006236545.tif 000012
【図１１】
2006236545.tif 000013
【図１２】
2006236545.tif 000014